(57)【要約】【課題】  回路基板に搭載された回路素子の熱を良好に放散できる表示装置を提供する。【解決手段】  画像を表示する液晶表示パネル１１と、液晶表示パネル１１を照明する発光素子１４と、発光素子１４を収容するケース体１６と、液晶表示パネル１１を駆動する回路素子７０が搭載された回路基板４０と、回路基板４０を収容し、放熱材料からなるハウジング５０と、を備えた表示装置であって、ハウジング５０は、回路素子７０側に突出する突出部５５を有し、ハウジング５０には、突出部５５に送風する送風手段４が固定される。【選択図】  図１
2018194716.tif 000002
【特許請求の範囲】
【請求項１】
画像を表示する液晶表示パネルと、前記液晶表示パネルを照明する発光素子と、前記発光素子を収容するケース体と、前記液晶表示パネルを駆動する回路素子が搭載された回路基板と、前記回路基板を収容し、放熱材料からなるハウジングと、を備えた表示装置であって、
前記ハウジングは、前記回路素子側に突出する突出部を有し、
前記ハウジングには、前記突出部に送風する送風手段が固定されることを特徴とする表示装置。
【請求項２】
前記突出部は、前記送風手段からの送風を前記ハウジング内に取り込む通風口を有することを特徴とする請求項１に記載の表示装置。
【請求項３】
前記ハウジングは、前記送風手段からの送風を前記ハウジング外に排出する通風口を有していることを特徴とする請求項１乃至２のいずれかに記載の表示装置。
【請求項４】
前記通風口には、防塵部材が配設されていることを特徴とする請求項２乃至３のいずれかに記載の表示装置。
【請求項５】
前記送風手段は、緩衝部材を介して前記ハウジングに固定されていることを特徴とする請求項１乃至４のいずれかに記載の表示装置。
【発明の詳細な説明】
【技術分野】
【０００１】
本発明は、回路基板に搭載された回路素子が発した熱を放散させる放熱構造を有する表示装置に関するものである。
【背景技術】
【０００２】
従来、回路基板に搭載された回路素子が発した熱を放散させる表示装置が種々提案されており、例えば、特許文献１に開示されている。斯かる表示装置は、液晶表示パネル及びバックライトを収容するケース体と、液晶表示パネルを駆動する回路素子を搭載した回路基板と、をハウジングに収容し、この回路基板に搭載された回路素子が発した熱を、ハウジングにて放散させるものである。ハウジングは、熱伝導率が１．０［Ｗ・ｍ−１・Ｋ−１］以上の熱伝導性樹脂はからなる。
【先行技術文献】
【特許文献】
【０００３】
【特許文献１】特開２０１６−１０９７９８号公報
【発明の概要】
【発明が解決しようとする課題】
【０００４】
しかし、上記した表示装置は、発熱源であるマイコン（制御手段）等の回路素子の熱を回路基板に伝熱し、良好に放散できる一方で、回路素子自体の熱を直接放熱するものではなく、回路素子の温度が許容温度を超えることがあり、回路素子の性能劣化や寿命低下を引き起こすといった問題点を有していた。
【０００５】
本発明は、この問題点に鑑みなされたものであり、回路基板に搭載された回路素子の熱を良好に放散できる表示装置を提供するものである。
【課題を解決するための手段】
【０００６】
本発明は、画像を表示する液晶表示パネル１１と、前記液晶表示パネル１１を照明する発光素子１４と、前記発光素子１４を収容するケース体１６と、前記液晶表示パネル１１を駆動する回路素子７０が搭載された回路基板４０と、前記回路基板４０を収容し、放熱材料からなるハウジング５０と、を備えた表示装置であって、前記ハウジング５０は、前記回路素子７０側に突出する突出部５５を有し、前記ハウジング５０には、前記突出部５５に送風する送風手段４が固定されることを特徴とする。
【０００７】
また、本発明は、前記突出部５５は、前記送風手段４からの送風をハウジング５０内に取り込む通風口５５ｃを有することを特徴とする。
【０００８】
また、本発明は、前記ハウジング５０は、前記送風手段４からの送風をハウジング５０外に排出する通風口５２ａを有している。
【０００９】
また、本発明は、前記通風口５２ａ，５５ｃには、防塵部材７が配設されていることを特徴とする。
【００１０】
また、本発明は、前記送風手段４は、緩衝部材６を介して前記ハウジング５０に固定されていることを特徴とする。
【発明の効果】
【００１１】
回路基板に搭載された回路素子の熱を良好に放散できる表示装置を提供することができる。
【図面の簡単な説明】
【００１２】
【図１】本発明の実施形態を示す断面図。
【図２】同上実施形態を示すブロック図。
【発明を実施するための形態】
【００１３】
以下、添付図面に基づいて、本発明を車両用表示装置に適用した一実施形態を説明する。車両用表示装置は、液晶表示器１０，中ケース２０，第１回路基板３０，第２回路基板（回路基板）４０，ハウジング５０，透光性カバー６０等を備えている。
【００１４】
液晶表示器１０は、液晶表示パネル１１，導光板１２，光学シート１３，発光素子１４，硬質配線板１５，ケース体１６を有している。
【００１５】
液晶表示パネル１１は、透明電極が形成された一対のガラス基板に液晶を封入したＴＦＴ（Ｔｈｉｎ  Ｆｉｌｍ  Ｔｒａｎｓｉｓｔｏｒ）型液晶パネルの前後両面に偏光板を貼着したものであり、車両速度，エンジン回転数等の車両情報が画像で表示される。また、液晶表示パネル１１は、図示しない可撓性配線板（ＦＰＣ：Ｆｌｅｘｉｂｌｅ  Ｐｒｉｎｔｅｄ  Ｃｉｒｃｕｉｔｓ）によって、第２回路基板４０と電気的に接続されている。
【００１６】
導光板１２は、アクリル等の透光性樹脂からなるものであり、平板形状になっている。また、導光板１２は、液晶表示パネル１１の後面側に配設されている。導光板１２の前後面には、光拡散シート，光反射シート，輝度上昇フィルム等の光学シート１３が配設されている。また、導光板１２は、ケース体１６に保持され、液晶表示パネル１１と平行になっている。
【００１７】
発光素子１４は、複数の発光ダイオード（ＬＥＤ：Ｌｉｇｈｔ  Ｅｍｉｔｔｉｎｇ  Ｄｉｏｄｅ）からなり、導光板１２の側端面１２ａに沿うように列状に配置されている。また、発光素子１４は、硬質配線板１５に搭載され、導光板１２の側端面１２ａに照明光を発する。発光素子１４が発した照明光は、導光板１２によって液晶表示パネル１１の後面側に導かれる。
【００１８】
ケース体１６は、ステンレス（ＳＵＳ）等の金属からなるものであり、導光板１２，発光素子１４等を収容する。
【００１９】
中ケース２０は、ポリプロピレン等の不透明な樹脂からなるものであり、導光板１２，第１回路基板３０等を収容する。中ケース２０の後方には、タッピングネジ１によって第２回路基板４０が固定されている。中ケース２０の中ケースフランジ部２３には、タッピングネジ２によって透光性カバー６０が固定されている。
【００２０】
第１回路基板３０は、ガラスエポキシ樹脂からなる基材に配線パターンを形成したものであり、第２回路基板４０とケース体１６の間に配設されている。第１回路基板３０の後面には、マイコン８０が搭載されている。また、第１回路基板３０は、中ケース２０に収容され、図示しないタッピングネジによって中ケース２０の底壁２２に固定されている。また、第１回路基板３０は、液晶表示パネル１１，導光板１２，第２回路基板４０と夫々平行に配置されている。
【００２１】
第２回路基板４０は、ガラスエポキシ樹脂からなる基材に配線パターンを形成したものであり、中ケース２０の後面側に配設されている。第２回路基板４０の後面には、液晶表示パネル１１を駆動する表示コントローラ７０（回路素子）が搭載されている。また、第２回路基板４０は、ハウジング５０に収容され、タッピングネジ１によって固定されている。また、第２回路基板４０は、液晶表示パネル１１，導光板１２，第１回路基板３０と夫々平行に配置されている。
【００２２】
ハウジング５０は、熱伝導率が１．０［Ｗ・ｍ−１・Ｋ−１］以上の熱伝導性樹脂からなり、中ケース２０，第２回路基板４０を収容する。また、ハウジング５０のハウジングフランジ部５３は、タッピングネジ２によって、中ケースフランジ部２３に固定されている。
【００２３】
また、ハウジング５０は、底面部５１から前側に突出する断面コの字状に形成され、第２回路基板４０のグランドパターンに当接するボス部５４を有する。ボス部５４は、タッピングネジ１によって、中ケース２０に固定されている。ハウジング５０は、表示コントローラ７０，マイコン８０を電磁遮蔽する電磁シールドとしても作用する。
【００２４】
透光性カバー６０は、アクリル等の透光性樹脂からなるものであり、液晶表示パネル１１の前方に配設されている。液晶表示パネル１１に表示される画像は、透光性カバー６０を透して視認される。
【００２５】
図２は、車両用表示装置の電気的構成を示すブロック図である。マイコン８０は、ＣＰＵ８１，不揮発性メモリ８２，揮発性メモリ８３を有しており、第１回路基板３０に搭載されている。不揮発性メモリ８２は、例えばフラッシュメモリからなるものであり、揮発性メモリ８３は、例えばＳＤＲＡＭ（Ｓｙｎｃｈｒｏｎｏｕｓ  Ｄｙｎａｍｉｃ  Ｒａｎｄｏｍ  Ａｃｃｅｓｓ Ｍｅｍｏｒｙ）からなるものである。
【００２６】
速度センサ１０１は、車両速度を検出し、マイコン８０に速度データを出力する。回転センサ１０２は、エンジンの回転数を検出し、マイコン８０に回転数データを出力する。マイコン８０は、不揮発性メモリ８２に格納されている所定のプログラムに基づいて、表示コントローラ７０を制御すると共に、発光素子１４を駆動する。表示コントローラ７０は、マイコン８０から出力された制御信号に基づいて、液晶表示パネル１１に画像を表示させる。
【００２７】
また、ハウジング５０は、底面部５１から前側に突出する断面コの字状に形成された突出部５５を有する。尚、突出部５５は、ハウジング５０の他の部位と同様な厚みにて形成され、ハウジング５０の外側から見た際には、凹状の窪みとなる。また、突出部５５は、表示コントローラ７０に対向し、表示コントローラ７０の熱を吸収する受熱部５５ａを有する。受熱部５５ａと表示コントローラ７０の間には、両者に密着する熱伝導部材５が配設されている。熱伝導部材５は、熱伝導性が良好な弾性体からなるものであり、ＴＩＭ（Ｔｈｅｒｍａｌ  Ｉｎｔｅｒｆａｃｅ Ｍａｔｅｒｉａｌ）或いは熱伝導シートと称されている。表示コントローラ７０が発した熱は、熱伝導部材５を介してハウジング５０の受熱部５５ａに伝わり、ハウジング５０によって放散されることで、効率的に温度を低減することができる。
【００２８】
また、ハウジング５０には、突出部５５をハウジング５０の外側から覆うように冷却ファン（送風手段）４が取付けられる。冷却ファン４は、タッピングネジ３によって、底面部５１に固定されている。突出部５５は、突出側壁５５ｂに冷却ファン４からの冷却風をハウジング５０内に取り込む吸気口（通風口）５５ｃを有する。また、ハウジング５０は、側壁部５２にハウジング５０外に冷却風を排出する排気口（通風口）５２ａを有している。冷却ファン４による冷却風は、受熱部５５ａを冷却し、吸気口５５ｃから取込まれ、ハウジング５０及び第２回路基板４０を冷却し、排気口５２ａから排出される。これにより、表示コントローラ７０が発した熱は、より効率的に温度を低減することができる。また、第２回路基板４０，ハウジング５０も、効率的に温度を低減することができる。
【００２９】
吸気口５５ｃ及び排気口５２ａには、夫々、防塵対策として防塵フィルタ（防塵部材）７が配設され、ハウジング５０内部への塵埃侵入を防止をしている。また、冷却ファン４は、ゴムなどの緩衝部材６を介して底面部５１に固定され、冷却ファン４の稼働による冷却ファン４とハウジング５０との接触による異音及びハウジング５０の共振を防止している。
【００３０】
尚、本発明の表示装置を上記した実施形態の構成にて例に挙げて説明したが、本発明はこれに限定されるものではなく、他の構成においても、本発明の要旨を逸脱しない範囲において種々の改良、並びに設計の変更が可能なことは勿論である。
【００３１】
例えば、本実施形態では、ハウジング５０は熱伝導性樹脂からからなるものであったが、熱伝導率が熱伝導性樹脂よりも高い、マグネシウム（Ｍｇ），アルミニウム（Ａｌ）等の金属からなるものであってもよい。
【産業上の利用可能性】
【００３２】
本発明は、車両用の表示装置に関し、例えば、自動車やオートバイ、あるいは農業機械や建設機械を備えた移動体に搭載される車両用の表示装置に適用することができる。
【符号の説明】
【００３３】
４    冷却ファン（送風手段）
７    防塵フィルタ（防塵部材）
６    緩衝部材
１０    液晶表示パネル
１４    発光素子
１６    ケース体
４０    第２回路基板（回路基板）
５０    ハウジング
５２ａ    排気口（通風口）
５５    突出部
５５ｂ    吸入口（通風口）
７０    表示コントローラ（回路素子）
【図１】
2018194716.tif 000003
【図２】
2018194716.tif 000004